【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
基地局装置と無線通信を行なう移動局装置であって、
物理上りリンク共用チャネルのスケジューリングに使用され、サウンディング参照信号の送信を要求するか否かを指示するためのフィールドを含む上りリンクグラントおよび前記フィールドにセットされる値と対応付けられたサウンディング参照信号の帯域幅の情報を含む無線リソース制御信号を前記基地局装置から受信する手段と、
前記フィールドに第１の値の情報ビットがセットされている場合には、第１の帯域幅で前記サウンディング参照信号を前記基地局装置へ送信する手段と、
前記フィールドに第２の値の情報ビットがセットされている場合には、第２の帯域幅で前記サウンディング参照信号を前記基地局装置へ送信する手段と、を有する
ことを特徴とする移動局装置。
【請求項２】
前記フィールドに第３の値の情報ビットがセットされている場合には、前記サウンディング参照信号を送信しない手段を有する
ことを特徴とする請求項１に記載の移動局装置。
【請求項３】
移動局装置と無線通信を行なう基地局装置であって、
物理上りリンク共用チャネルのスケジューリングに使用され、サウンディング参照信号の送信を要求するか否かを指示するためのフィールドを含む上りリンクグラントおよび前記フィールドにセットする値と対応付けたサウンディング参照信号の帯域幅の情報を含む無線リソース制御信号を前記移動局装置へ送信する手段と、
前記上りリンクグラントを前記移動局装置へ送信する際に、前記移動局装置に第１の帯域幅で前記サウンディング参照信号の送信を要求することを指示する場合には、前記フィールドに第１の値の情報ビットをセットする手段と、
前記上りリンクグラントを前記移動局装置へ送信する際に、前記移動局装置に第２の帯域幅で前記サウンディング参照信号の送信を要求することを指示する場合には、前記フィールドに第２の値の情報ビットをセットする手段と、を有する
ことを特徴とする基地局装置。
【請求項４】
前記上りリンクグラントを前記移動局装置へ送信する際に、前記移動局装置に前記サウンディング参照信号の送信を要求しないことを指示する場合には、前記フィールドに第３の値の情報ビットをセットする手段を有する
ことを特徴とする請求項３に記載の基地局装置。
【請求項５】
基地局装置と無線通信を行なう移動局装置の無線通信方法であって、
物理上りリンク共用チャネルのスケジューリングに使用され、サウンディング参照信号の送信を要求するか否かを指示するためのフィールドを含む上りリンクグラントおよび前記フィールドにセットされる値と対応付けられたサウンディング参照信号の帯域幅の情報を含む無線リソース制御信号を前記基地局装置から受信し、
前記フィールドに第１の値の情報ビットがセットされている場合には、第１の帯域幅で前記サウンディング参照信号を前記基地局装置へ送信し、
前記フィールドに第２の値の情報ビットがセットされている場合には、第２の帯域幅で前記サウンディング参照信号を前記基地局装置へ送信する
ことを特徴とする無線通信方法。
【請求項６】
前記フィールドに第３の値の情報ビットがセットされている場合には、前記サウンディング参照信号を送信しない
ことを特徴とする請求項５に記載の無線通信方法。
【請求項７】
移動局装置と無線通信を行なう基地局装置の無線通信方法であって、
物理上りリンク共用チャネルのスケジューリングに使用され、サウンディング参照信号の送信を要求するか否かを指示するためのフィールドを含む上りリンクグラントおよび前記フィールドにセットする値と対応付けたサウンディング参照信号の帯域幅の情報を含む無線リソース制御信号を前記移動局装置へ送信し、
前記上りリンクグラントを前記移動局装置へ送信する際に、前記移動局装置に第１の帯域幅で前記サウンディング参照信号の送信を要求することを指示する場合には、前記フィールドに第１の値の情報ビットをセットし、
前記上りリンクグラントを前記移動局装置へ送信する際に、前記移動局装置に第２の帯域幅で前記サウンディング参照信号の送信を要求することを指示する場合には、前記フィールドに第２の値の情報ビットをセットする
ことを特徴とする無線通信方法。
【請求項８】
前記上りリンクグラントを前記移動局装置へ送信する際に、前記移動局装置に前記サウンディング参照信号の送信を要求しないことを指示する場合には、前記フィールドに第３の値の情報ビットをセットする
ことを特徴とする請求項７に記載の無線通信方法。
【請求項９】
基地局装置と無線通信を行なう移動局装置に搭載される集積回路であって、
物理上りリンク共用チャネルのスケジューリングに使用され、サウンディング参照信号の送信を要求するか否かを指示するためのフィールドを含む上りリンクグラントおよび前記フィールドにセットされる値と対応付けられたサウンディング参照信号の帯域幅の情報を含む無線リソース制御信号を前記基地局装置から受信し、
前記フィールドに第１の値の情報ビットがセットされている場合には、第１の帯域幅で前記サウンディング参照信号を前記基地局装置へ送信する機能と、
前記フィールドに第２の値の情報ビットがセットされている場合には、第２の帯域幅で前記サウンディング参照信号を前記基地局装置へ送信する機能と、を前記移動局装置に発揮させる
ことを特徴とする集積回路。
【請求項１０】
前記フィールドに第３の値の情報ビットがセットされている場合には、前記サウンディング参照信号を送信しない機能と、を前記移動局装置に発揮させる
ことを特徴とする請求項９に記載の集積回路。
【請求項１１】
移動局装置と無線通信を行なう基地局装置に搭載される集積回路であって、
物理上りリンク共用チャネルのスケジューリングに使用され、サウンディング参照信号の送信を要求するか否かを指示するためのフィールドを含む上りリンクグラントおよび前記フィールドにセットする値と対応付けたサウンディング参照信号の帯域幅の情報を含む無線リソース制御信号を前記移動局装置へ送信する機能と、
前記上りリンクグラントを前記移動局装置へ送信する際に、前記移動局装置に第１の帯域幅で前記サウンディング参照信号の送信を要求することを指示する場合には、前記フィールドに第１の値の情報ビットをセットする機能と、
前記上りリンクグラントを前記移動局装置へ送信する際に、前記移動局装置に第２の帯域幅で前記サウンディング参照信号の送信を要求することを指示する場合には、前記フィールドに第２の値の情報ビットをセットする機能と、を前記基地局装置に発揮させる
ことを特徴とする集積回路。
【請求項１２】
前記上りリンクグラントを前記移動局装置へ送信する際に、前記移動局装置に前記サウンディング参照信号の送信を要求しないことを指示する場合には、前記フィールドに第３の値の情報ビットをセットする機能と、を前記基地局装置に発揮させる
ことを特徴とする請求項１１に記載の集積回路。
【請求項１３】
基地局装置と移動局装置とが無線通信を行なう無線通信システムであって、
前記基地局装置は、
物理上りリンク共用チャネルのスケジューリングに使用され、サウンディング参照信号の送信を要求するか否かを指示するためのフィールドを含む上りリンクグラントおよび前記フィールドにセットする値と対応付けたサウンディング参照信号の帯域幅の情報を含む無線リソース制御信号を前記移動局装置へ送信し、
前記移動局装置は、
前記上りリンクグラントおよび前記無線リソース制御信号を受信し、
前記無線リソース制御信号に基づいて、サウンディング参照信号の帯域幅をセットし、
前記フィールドに第１の値の情報ビットがセットされている場合には、第１の帯域幅で前記サウンディング参照信号を前記基地局装置へ送信し、
前記フィールドに第２の値の情報ビットがセットされている場合には、第２の帯域幅で前記サウンディング参照信号を前記基地局装置へ送信する
ことを特徴とする無線通信システム。
【請求項１４】
前記移動局装置は、
前記フィールドに第３の値の情報ビットがセットされている場合には、前記サウンディング参照信号を送信しない
ことを特徴とする請求項１３に記載の無線通信システム。